(57)【要約】【課題】凝縮水に細菌や雑菌が繁殖して、異臭が発生することを防止する。【解決手段】枠体内を仕切板９等によって室内側と室外側に区画し、前記枠体の室内側に室内吸込口と室内吹出口を、枠体の室外側に室外吸込口と室外吹出口を備え、枠体内の室内側上部に蒸発器と室内ファンを備えた室内側熱交換室を、枠体内の室外側に凝縮器と室外ファンを備えた室外側熱交換室を、枠体内の室内側下部に圧縮機と電装部品等を備えた機械室を設け、前記蒸発器で発生した凝縮水を凝縮器下方に設けた水溜部に貯水した後、前記凝縮器１７近傍に設けた散水手段にて凝縮器に振りかけて、前記凝縮水を蒸発させ室外吹出口から屋外へ排出することで凝縮水の処理を行う一体型空気調和機に於いて、前記水溜部２１は凝縮器１７下部から室内側の機械室１１下部にかけて形成し、水溜部２１内に凝縮水に含まれる細菌及び雑菌等の繁殖を防止する抗菌具２６を設けたものである。【選択図】図２
2006194528.tif 000002
【特許請求の範囲】
【請求項１】
枠体内を仕切板等によって室内側と室外側に区画し、前記枠体の室内側に室内吸込口と室内吹出口を、枠体の室外側に室外吸込口と室外吹出口を備え、枠体内の室内側上部に蒸発器と室内ファンを備えた室内側熱交換室を、枠体内の室外側に凝縮器と室外ファンを備えた室外側熱交換室を、枠体内の室内側下部に圧縮機と電装部品等を備えた機械室を設け、前記蒸発器で発生した凝縮水を凝縮器下方に設けた水溜部に貯水した後、前記凝縮器近傍に設けた散水手段にて凝縮器に振りかけて、前記凝縮水を蒸発させ室外吹出口から屋外へ排出することで凝縮水の処理を行う一体型空気調和機に於いて、前記水溜部は凝縮器下部から室内側の機械室下部にかけて形成し、水溜部内に凝縮水に含まれる細菌及び雑菌等の繁殖を防止する抗菌具を設けたことを特徴とする一体型空気調和機。
【請求項２】
前記抗菌具は機械室下部室内側の水溜部に設けたこと特徴とする請求項１記載の一体型空気調和機。
【請求項３】
前記抗菌具は散水手段の散水板の下端よりも低位置に設けたことを特徴とする請求項１及び２記載の一体型空気調和機。
【請求項４】
前記抗菌具は凝縮水中に銅イオンを発生する、繊維状に形成された多数の線状銅材からなることを特徴とする請求項１〜３記載の一体型空気調和機。
【発明の詳細な説明】
【技術分野】
【０００１】
この発明は、窓に取り付けられて使用される一体型空気調和機に関するものである。
【背景技術】
【０００２】
従来よりこの種のものに於いては、室内の壁に設置されるセパレ−トエアコンのように大がかりな設置工事が不用で、使用者自身でも簡単に取り付けが出来て、取り扱いの容易さが好まれるものであった、また蒸発器で発生する凝縮水を、凝縮器下方に設けた水溜部に貯水した後、前記凝縮器近傍に設けた散水手段にて凝縮器に振りかけて、前記凝縮水を蒸発させ室外吹出口から屋外へ排出することで凝縮水の処理を行っていた。（例えば、特許文献１参照）
【特許文献１】実公平３−３６８２８号公報
【発明の開示】
【発明が解決しようとする課題】
【０００３】
しかしながら、この従来の空気調和機は夏期の冷房運転の使用時には、常に一定量の凝縮水が水溜部に存在し、この凝縮水に細菌や雑菌が繁殖する事で室外への排気だけでなく、室内でもカビ等の異臭が発生することがあり、使用者に違和感や不信感を与えることがあった。
【課題を解決するための手段】
【０００４】
この発明はこの点に着目し上記欠点を解決する為に、枠体内を仕切板等によって室内側と室外側に区画し、前記枠体の室内側に室内吸込口と室内吹出口を、枠体の室外側に室外吸込口と室外吹出口を備え、枠体内の室内側上部に蒸発器と室内ファンを備えた室内側熱交換室を、枠体内の室外側に凝縮器と室外ファンを備えた室外側熱交換室を、枠体内の室内側下部に圧縮機と電装部品等を備えた機械室を設け、前記蒸発器で発生した凝縮水を凝縮器下方に設けた水溜部に貯水した後、前記凝縮器近傍に設けた散水手段にて凝縮器に振りかけて、前記凝縮水を蒸発させ室外吹出口から屋外へ排出することで凝縮水の処理を行う一体型空気調和機に於いて、前記水溜部は凝縮器下部から室内側の機械室下部にかけて形成し、水溜部内に凝縮水に含まれる細菌及び雑菌等の繁殖を防止する抗菌具を設けたものである。
【０００５】
また前記抗菌具は機械室下部室内側の水溜部に設けたものである。
また前記抗菌具は散水手段の散水板の下端よりも低位置に設けたものである。
また前記抗菌具は凝縮水中に銅イオンを発生する、繊維状に形成された多数の線状銅材からなるものである。
【発明の効果】
【０００６】
この発明によれば、水溜部に抗菌具を設け、この抗菌具から銅イオン等を発生させて凝縮水に含まれる細菌や雑菌等の繁殖を防止することで、異臭の発生を防止するだけでなく、衛生性が向上するものである。
また抗菌具は機械室下部室内側の水溜部に設けられているので、着脱も簡単でメンテナンスが容易になるものである。
また抗菌具は散水手段の散水板の下端よりも低位置に設けたので、常に凝縮水に接触することができ、より効果的に細菌や雑菌等の繁殖を防止することができる。
また抗菌具は繊維状に形成された多数の線状銅材で形成されているので、銅と凝縮水の接触面積を大きくとることができ効率的に銅イオンを凝縮水に発生させることができるものである。
【発明を実施するための最良の形態】
【０００７】
次に、本発明の一実施形態を図面に基づいて説明する。
【実施例１】
【０００８】
１は空気調和機の外郭を覆う枠体で、底面を形成するベース２と、左右側面の前側と上面の前側と前面を覆う前面パネル３と、左右側面の後側と上面の後側と背面を覆う背面板４で形成されている。
前記前面パネル３は前面中央にスリット状縦長に設けた室内吸込口５と、この吸込口５の右隣に縦長の室内吹出口６を備えている。
前記背面板４は背面中央にスリット状縦長に設けた室外吸込口７と、この吸込口７の左隣に縦長の室外吹出口８を備えている。
【０００９】
９は前記枠体１内の室内側と室外側を隔てる仕切板で、発泡スチロール等の材料で成形され、仕切板９の前側上部に室内側熱交換室１０を、この室内側熱交換室１０の下方に機械室１１を、仕切板９の後側に室外側熱交換室１２を設けている。
【００１０】
前記室内吸込口５の内側の室内側熱交換室１０には蒸発器１３を設け、蒸発器１３の更に内側には室内ファン１４を設け、室内吸込口５と蒸発器１３と室内ファン１４と室内吹出口６を連通して室内送風経路１５を形成している。
【００１１】
前記機械室１１内には圧縮機１６や減圧装置や電装品が設けられている。前記室外吸込口７の内側の室外側熱交換室１２には凝縮器１７を設け、凝縮器１７の更に内側には室外ファン１８を設け、室外吸込口７と凝縮器１７と室外ファン１８と室外吹出口８を連通して室外送風経路１９を形成している。
【００１２】
前記蒸発器１３と凝縮器１７は多数のアルミニウム薄板に銅管を貫通して、この銅管内に冷媒を通して熱交換を行うフィンチューブ式の熱交換器で、冷房運転時には蒸発器１３は低温になり空気中の水蒸気が凝縮水として発生し、凝縮器１７は高温になって放熱を行うものである。
【００１３】
前記蒸発器１３の下方には蒸発器１３で発生した凝縮水を集めるドレン皿の機能を兼ねる上下仕切板２０を備え、集めた凝縮水を室外側熱交換室１２下部のベース２に形成された水溜部２１に導くものである。
この水溜部２１は跳ね上げるための水量を確保するために、凝縮器１７下部より室内側の機械室１１下部まで設けられ、凝縮水を貯えるものである。
【００１４】
前記凝縮器１７と背面板４の間には円形の散水板２２が設けられ、散水モータ２３の運転で前記散水板２２が回転し凝縮水を高温の凝縮器１７に跳ね上げて振りかける事で蒸発させ、室外送風経路１９を通過して室外吹出口８からの排気に混じって水蒸気として屋外に排出される。
【００１５】
２４は室内モータで、前記室内ファン１４下部の上下仕切板２０に固定されるものである。２５は室外モータで、前記室外ファン１８下部のベース２に固定されている。
【００１６】
前記散水板２２は散水手段として、水平方向に回転軸を備えた前記散水モータ２３の回転によって水溜部２１に蓄えられた凝縮水を高温の凝縮器１７全体に振りかける事で、凝縮水を気化させ、室外送風経路１９を通じて室外吹出口８からの排気と共に水蒸気として屋外へ排出する事で凝縮水の処理をするものであり。また、凝縮水の蒸発時には凝縮器１７より気化熱を奪うことで、凝縮器１７の能力も向上するものである。
【００１７】
また前記散水板２２は室外吸込口７と凝縮器１７の間に設けられ、機械室１１内に備えた散水モータ２３から延出された回転軸にて回転される。
【００１８】
２６は抗菌具で、繊維状に形成された多数の線状銅材から成り、前記機械室１１下部の室内側の水溜部２１に位置して設けられており、且つ、散水手段の散水板２２の下端よりも低位置に設けられているので、常に凝縮水と接触するすることができるものであり、この抗菌具２６から銅イオンを発生させて凝縮水に含まれる細菌や雑菌等の繁殖を防止することで、異臭の発生を防止するだけでなく、衛生性が向上するものである。また抗菌具２６は機械室１１下部の室内側水溜部２１に設けられているので、着脱も簡単でメンテナンスが容易になるものである。また抗菌具２６は繊維状に形成された多数の線状銅材で形成されているので、銅と凝縮水の接触面積を大きくとることができ効率的に銅イオンを凝縮水に発生させることができるものである。
【００１９】
前記抗菌具２６は約６０ｍｍ×２５ｍｍの銅製網で、直径０．２８ｍｍの銅線がネット状に編み込まれており、前記ベース２に立設されたリブ２７に四隅を乗せると共に、同じくベース２に一体に立設されたネジ穴用ボス２８に抗菌具２６の中央を上方からネジ止めして固定するものである。
【００２０】
前記室内吹出口６の下方には運転スイッチ２９や室温設定スイッチ３０や換気運転スイッチ３１等のスイッチ類やリモコン（図示せず）の受信部３２を備えた操作部３３を設けている。
【００２１】
前記操作部３３の下部にはスリット状の換気口３６を設け、この換気口３４背面にはガラリ状に開閉する蓋３５を設けている。
前記仕切板９下部の機械室１１と室外送風経路１９の間は水溜部２１で連通し、凝縮水が機械室１１下部にも貯えられると共に、水溜部２１と仕切板９との連通部３６は換気時の排気口としての作用も兼ね備えている。
【００２２】
前記換気口３４から機械室１１を通過して連通部３６、室外ファン１８、室外吹出口８に至る換気送風経路３７を形成し、室外ファン１８の運転中に換気口３４の蓋３５を開けば室外吹出口８より、室外送風経路１９からの排気と共に換気送風経路３７を通じて室内の空気が排気されるものである。
【００２３】
このように、抗菌具２６の作用により凝縮水に含まれる細菌や雑菌等の繁殖を防止することで異臭の発生を防止したので、屋外の強風時等万一換気送風経路３７の空気が逆流したり、前面パネル３等の隙間から機械室１１等枠体内の空気が室内に漏れるような事が有っても凝縮水が原因で発生する臭気を防止するする事ができるものである。
【図面の簡単な説明】
【００２４】
【図１】本発明一実施例の正面図。
【図２】同Ａ−Ａ断面図。
【図３】同Ｂ−Ｂ断面図。
【図４】同Ｃ−Ｃ断面図。
【図５】同Ｄ−Ｄ断面図。
【図６】同Ｅ−Ｅ断面図。
【符号の説明】
【００２５】
９  仕切板
１１  機械室
１３  蒸発器
１７  凝縮器
２１  水溜部
２８  抗菌具
【図１】
2006194528.tif 000003
【図２】
2006194528.tif 000004
【図３】
2006194528.tif 000005
【図４】
2006194528.tif 000006
【図５】
2006194528.tif 000007
【図６】
2006194528.tif 000008